(57)【要約】      （修正有）【課題】  記録紙を給紙部より給紙し、記録領域において記録を行うインクジェット記録装置において、記録紙の浮きを押さえる拍車の負荷によって発生する記録紙のスキューを防止する。【解決手段】  記録紙の浮きを押さえる複数の付勢ローラは、各々付勢ローラ保持部材に移動可能に取り付けられるよう構成する。また、前記複数の付勢ローラのうちの特定の付勢ローラは、各々付勢ローラ保持部材に移動可能に取り付けられるよう構成とする。また、前記複数の付勢ローラは１つの付勢ローラ保持部材に取り付けられ、前記付勢ローラ保持部材は移動可能であるよう構成する。【選択図】  図１
2007118301.tif 000002
【特許請求の範囲】
【請求項１】
記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置され記録紙の浮きを防止し、さらに搬送される記録紙により従動回転させられる複数の付勢ローラと、前記第１搬送ローラと第２搬送ローラの間に位置し、記録紙を支持し記録ヘッドと記録紙の間隔を規定するプラテンを備えるインクジェット記録装置において、前記複数の付勢ローラは各々付勢ローラ保持部材に取り付けられ、前記付勢ローラ保持部材は移動可能であることを特徴とするインクジェット記録装置。
【請求項２】
記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置され記録紙の浮きを防止し、さらに搬送される記録紙により従動回転させられる複数の付勢ローラと、前記第１搬送ローラと第２搬送ローラの間に位置し、記録紙を支持し記録ヘッドと記録紙の間隔を規定するプラテンを備えるインクジェット記録装置において、前記複数の付勢ローラのうちの特定の付勢ローラは付勢ローラ保持部材に取り付けられ、前記付勢ローラ保持部材は移動可能であることを特徴とするインクジェット記録装置。
【請求項３】
記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、第２搬送ローラの搬送方向上流に配置され記録紙の浮きを防止し、さらに搬送される記録紙により従動回転させられる複数の付勢ローラと、前記第１搬送ローラと第２搬送ローラの間に位置し、記録紙を支持し記録ヘッドと記録紙の間隔を規定するプラテンを備えるインクジェット記録装置において、前記複数の付勢ローラは１つの付勢ローラ保持部材に取り付けられ、前記付勢ローラ保持部材は移動可能であることを特徴とするインクジェット記録装置。
【請求項４】
記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置された第３搬送ローラと、前記第３搬送ローラに当接し従動回転する第３従動ローラと、前記第２搬送ローラの搬送方向上流に配置され記録紙の浮きを防止し、さらに搬送される記録紙により従動回転させられる複数の付勢ローラと、前記第１搬送ローラと第３搬送ローラの間に位置し、記録紙を支持し記録ヘッドと記録紙の間隔を規定するプラテンを備えるインクジェット記録装置において、前記複数の付勢ローラは各々付勢ローラ保持部材に取り付けられ、前記付勢ローラ保持部材は移動可能であることを特徴とするインクジェット記録装置。
【請求項５】
記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置された第３搬送ローラと、前記第３搬送ローラに当接し従動回転する第３従動ローラと、前記第２搬送ローラの搬送方向上流に配置され記録紙の浮きを防止し、さらに搬送される記録紙により従動回転させられる複数の付勢ローラと、前記第１搬送ローラと第３搬送ローラの間に位置し、記録紙を支持し記録ヘッドと記録紙の間隔を規定するプラテンを備えるインクジェット記録装置において、前記複数の付勢ローラのうちの特定の付勢ローラは付勢ローラ保持部材に取り付けられ、前記付勢ローラ保持部材は移動可能であることを特徴とするインクジェット記録装置。
【請求項６】
記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置された第３搬送ローラと、前記第３搬送ローラに当接し従動回転する第３従動ローラと、前記第２搬送ローラの搬送方向上流に配置され記録紙の浮きを防止し、さらに搬送される記録紙により従動回転させられる複数の付勢ローラと、前記第１搬送ローラと第３搬送ローラの間に位置し、記録紙を支持し記録ヘッドと記録紙の間隔を規定するプラテンを備えるインクジェット記録装置において、前記複数の付勢ローラは１つの付勢ローラ保持部材に取り付けられ、前記付勢ローラ保持部材は移動可能であることを特徴とするインクジェット記録装置。
【請求項７】
前記１つの付勢ローラ保持部材は、前記第２従動ローラを保持する第２従動ローラ保持部材であることを特徴とする請求項３、６に記載のインクジェット記録装置。
【請求項８】
前記付勢ローラ保持部材は、保持する前記付勢ローラが搬送される記録紙の記録面に対して接離する方向に移動することを特徴とする請求項１から７に記載のインクジェット記録装置。
【請求項９】
前記付勢ローラ保持部材は、保持する前記付勢ローラの搬送される記録紙の記録面への当接力が可変となるように、移動範囲内の複数の位置で停止可能であることを特徴とする請求項１から８に記載のインクジェット記録装置。
【請求項１０】
前記付勢ローラ保持部材は、保持する前記付勢ローラが搬送される記録紙の搬送方向に交差する方向に移動することを特徴とする請求項１から６に記載のインクジェット記録装置。
【請求項１１】
前記付勢ローラ保持部材は、前記複数の付勢ローラが定型サイズの記録紙の幅方向に均等に配置される位置まで移動することを特徴とする請求項１０記載のインクジェット記録装置。
【請求項１２】
前記付勢ローラ保持部材はカム当接形状を有し、記録領域の外側に配置されたカム部材の回動に伴って移動させられることを特徴とする請求項１から１１に記載のインクジェット記録装置。
【請求項１３】
前記付勢ローラは、記録紙の搬送中にはバネにより記録紙をプラテン方向に付勢することを特徴とする請求項１から１２に記載のインクジェット記録装置。
【請求項１４】
前記付勢ローラは拍車であることを特徴とする請求項１から１３に記載のインクジェット記録装置。
【請求項１５】
記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置され記録紙の浮きを防止し、さらに搬送される記録紙により従動回転させられる複数の付勢ローラと、前記第１搬送ローラと第２搬送ローラの間に位置し、記録紙を支持し記録ヘッドと記録紙の間隔を規定するプラテンと、記録前に記録される記録紙の幅サイズを検知する検知手段を備えるインクジェット記録装置において、印字開始前に記録紙の幅サイズを検知し、検知した後から印字開始までの間に前記付勢ローラを移動させることを特徴とするインクジェット記録装置。
【請求項１６】
記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置された第３搬送ローラと、前記第３搬送ローラに当接し従動回転する第３従動ローラと、前記第２搬送ローラの搬送方向上流に配置され記録紙の浮きを防止し、さらに搬送される記録紙により従動回転させられる複数の付勢ローラと、前記第１搬送ローラと第３搬送ローラの間に位置し、記録紙を支持し記録ヘッドと記録紙の間隔を規定するプラテンと、記録前に記録される記録紙の幅サイズを検知する検知手段を備えるインクジェット記録装置において、印字開始前に記録紙の幅サイズを検知し、検知した後から印字開始までの間に前記付勢ローラを移動させることを特徴とするインクジェット記録装置。
【発明の詳細な説明】
【技術分野】
【０００１】
本発明は、記録紙を給紙部より記録領域に給紙し、記録領域内を搬送手段により搬送させながらインクジェット記録手段を用いて記録を行うインクジェット記録装置における搬送部構成に関するものである。
【背景技術】
【０００２】
インクジェット記録装置は記録紙を搬送ローラにより搬送部を搬送させながら、インクジェット記録手段によって記録を行う。
【０００３】
従来の搬送部は特許第３４３２０５２や特許第３５０７４８５で示されるように、プラテンを挟んで配置された２本の搬送ローラにより、記録紙搬送方向に形成されたプラテンの複数のリブ上を記録紙を搬送させる。また、インクジェット記録手段より記録紙搬送方向下流側のプラテンのリブ間には、記録紙をプラテン側へ押し下げる拍車に代表される押さえ部材を備えている。また、押さえ部材は特開２０００−７１５３２で示されるように等ピッチで配置されているプラテンの凹部に配置される。
【特許文献１】特登録３４３２０５２号公報
【特許文献２】特登録３５０７４８５号公報
【特許文献３】特開２０００−７１５３２号公報
【発明の開示】
【発明が解決しようとする課題】
【０００４】
しかしながら、近年インクジェット記録装置は小さいサイズは名刺サイズから大きいサイズはＡ４サイズ、さらに記録装置によってはＡ３までと様々なサイズの記録紙に対応することが求められている。押さえ部材は対応する最大幅サイズの記録紙にバランス良く配置すると、それより小さいサイズの記録紙ではバランス良く配置されないこともある。例えば、図８に示すように対応する最大サイズの記録紙（図８ではＡ４サイズ）にバランス良く載るように押さえ部材５０１（(ａ)〜（ｉ））を配置すると、それより小さい名刺サイズ（図８の点線で示される紙幅）にとっては図の右側寄りに押さえ部材５０１(ａ)、５０１（ｂ）による負荷が強くかかり、搬送時の負荷のバランスが悪くなってしまう。押さえ部材が記録紙にバランスよく載っていないと、搬送ローラで搬送する際に記録紙を斜行させてしまう。斜行は搬送ローラ１本だけで搬送する記録紙の先端部と後端部の印字において顕著に現れる。
【０００５】
本発明は、記録紙を給紙部より給紙し、記録領域において記録を行うインクジェット記録装置において、押さえ部材を斜行のない搬送部の提供を目的とするものである。
【課題を解決するための手段】
【０００６】
本発明は上記目的を達成するために、記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置され記録紙の浮きを防止し、さらに搬送される記録紙により従動回転させられる複数の付勢ローラと、前記第１搬送ローラと第２搬送ローラの間に位置し、記録紙を支持し記録ヘッドと記録紙の間隔を規定するプラテンを備えるインクジェット記録装置において、前記複数の付勢ローラは、各々付勢ローラ保持部材に移動可能に取り付けられるよう構成する。
【０００７】
また、記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置され記録紙の浮きを防止し、さらに搬送される記録紙により従動回転させられる複数の付勢ローラと、前記第１搬送ローラと第２搬送ローラの間に位置し、記録紙を支持し記録ヘッドと記録紙の間隔を規定するプラテンを備えるインクジェット記録装置において、前記複数の付勢ローラのうちの特定の付勢ローラは、各々付勢ローラ保持部材に移動可能に取り付けられるよう構成する。
【０００８】
また、記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置され記録紙の浮きを防止し、さらに搬送される記録紙により従動回転させられる複数の付勢ローラと、前記第１搬送ローラと第２搬送ローラの間に位置し、記録紙を支持し記録ヘッドと記録紙の間隔を規定するプラテンを備えるインクジェット記録装置において、前記複数の付勢ローラは１つの付勢ローラ保持部材に取り付けられ、前記付勢ローラ保持部材は移動可能であるよう構成する。
【０００９】
ここで、前記１つの付勢ローラ保持部材は、前記第２従動ローラを保持する第２従動ローラ保持部材である。
【００１０】
また、記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置された第３搬送ローラと、前記第３搬送ローラに当接し従動回転する第３従動ローラと、前記第２搬送ローラの搬送方向上流に配置され記録紙の浮きを防止し、さらに搬送される記録紙により従動回転させられる複数の付勢ローラと、前記第１搬送ローラと第３搬送ローラの間に位置し、記録紙を支持し記録ヘッドと記録紙の間隔を規定するプラテンを備えるインクジェット記録装置において、前記複数の付勢ローラは、各々付勢ローラ保持部材に移動可能に取り付けられるよう構成する。
【００１１】
また、記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置された第３搬送ローラと、前記第３搬送ローラに当接し従動回転する第３従動ローラと、前記第２搬送ローラの搬送方向上流に配置され記録紙の浮きを防止し、さらに搬送される記録紙により従動回転させられる複数の付勢ローラと、前記第１搬送ローラと第３搬送ローラの間に位置し、記録紙を支持し記録ヘッドと記録紙の間隔を規定するプラテンを備えるインクジェット記録装置において、前記複数の付勢ローラのうちの特定の付勢ローラは、付勢ローラ保持部材に移動可能に取り付けられるよう構成する。
【００１２】
また、記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置された第３搬送ローラと、前記第３搬送ローラに当接し従動回転する第３従動ローラと、前記第２搬送ローラの搬送方向上流に配置され記録紙の浮きを防止し、さらに搬送される記録紙により従動回転させられる複数の付勢ローラと、前記第１搬送ローラと第３搬送ローラの間に位置し、記録紙を支持し記録ヘッドと記録紙の間隔を規定するプラテンを備えるインクジェット記録装置において、前記複数の付勢ローラは１つの付勢ローラ保持部材に取り付けられ、前記付勢ローラ保持部材は移動可能であるよう構成する。
【００１３】
ここで、前記１つの付勢ローラ保持部材は、前記第２従動ローラを保持する第２従動ローラ保持部材である。
【００１４】
また、前記付勢ローラ保持部材は、保持する前記付勢ローラが搬送される記録紙の記録面に対して接離する方向に移動するよう構成する。
【００１５】
さらに、前記付勢ローラ保持部材は、保持する前記付勢ローラの搬送される記録紙の記録面への当接力が可変となるように、移動範囲内の複数の位置で停止可能であるように構成する。
【００１６】
また、前記付勢ローラ保持部材は、保持する前記付勢ローラが搬送される記録紙の搬送方向に交差する方向に移動するよう構成しても良い。
【００１７】
ここで、前記付勢ローラ保持部材は、前記複数の付勢ローラが定型サイズの記録紙の幅方向に均等に配置される位置まで移動する。
【００１８】
前記複数の付勢ローラを保持する付勢ローラ保持部材はカム当接形状を有し、記録領域の外側に配置されたカム部材の回動に伴って移動させられる。
【００１９】
そして、前記付勢ローラは、記録紙搬送中はバネにより記録紙をプラテン方向に付勢する。
【００２０】
また、前記付勢ローラは拍車である。
【００２１】
また、記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置され記録紙の浮きを防止し、さらに搬送される記録紙により従動回転させられる複数の付勢ローラと、前記第１搬送ローラと第２搬送ローラの間に位置し、記録紙を支持するとともに記録ヘッドと記録紙の間隔を規定するプラテンと、記録前に記録される記録紙の幅サイズを検知する検知手段を備えるインクジェット記録装置において、印字開始前に記録紙の幅サイズを検知し、検知した後から印字開始までの間に前記付勢ローラを移動させる。
【００２２】
また、記録紙を搬送する搬送方向上流側の第１搬送ローラと下流側の第２搬送ローラと、前記第１搬送ローラと第２搬送ローラそれぞれに当接し従動回転する第１従動ローラと第２従動ローラと、前記第２搬送ローラの搬送方向上流に配置された第３搬送ローラと、前記第３搬送ローラに当接し従動回転する第３従動ローラと、前記第２搬送ローラの搬送方向上流に配置され記録紙の浮きを防止し、さらに搬送される記録紙により従動回転させられる複数の付勢ローラと、前記第１搬送ローラと第３搬送ローラの間に位置し、記録紙を支持し記録ヘッドと記録紙の間隔を規定するプラテンと、記録前に記録される記録紙の幅サイズを検知する検知手段を備えるインクジェット記録装置において、印字開始前に記録紙の幅サイズを検知し、検知した後から印字開始までの間に前記付勢ローラを移動させる。
【発明の効果】
【００２３】
本発明によれば、各紙幅サイズにバランス良く付勢ローラを載せることができ、付勢ローラの負荷による斜行のない記録装置を提供することができる。
【発明を実施するための最良の形態】
【００２４】
以下に、本発明の実施の形態を複数の実施例に基づき図面を参照して説明する。
【実施例１】
【００２５】
図１は本発明による第１実施例の搬送部の概略図、図２は図１の搬送部下流側のローラ配置を表した概略図である。
【００２６】
本実施例の搬送部は、給紙部１００から給紙された記録紙Ｐを搬送する搬送ローラ２０１と搬送ローラ２０１と従動回転するピンチローラ２０２からなる搬送ローラ対と、搬送ローラ２０１の記録紙搬送方向（図１、図２の矢印方向）下流に設けられ、搬送ローラ対を抜けた記録紙Ｐの搬送および機外への排紙を行う排紙ローラ３０１と排紙ローラ３０１と従動回転する排紙ピンチローラ３０２からなる排紙ローラ対と、搬送ローラ対および排紙ローラ対により搬送される記録紙Ｐを支持するプラテン４０１と、排紙ローラ対の搬送方向上流側に搬送方向に交差する方向に複数配置され記録紙Ｐの浮きを防止する付勢ローラ５０１（(ａ)〜（ｉ））により構成される。また、記録ヘッドＨを搭載するキャリッジ６０１の記録紙Ｐと対向する面には、記録紙の左右端を検知することで紙幅を判別する紙幅検知センサ（不図示）を搭載する。
【００２７】
図３は搬送部の上面図である。プラテン４０１は搬送方向に複数のリブ４０１ａおよび４０１ａより低いリブ４０１ｂを備え、記録紙Ｐはリブ４０１ａ上を搬送されながら、記録ヘッドＨにより印字を行われる。ここで、記録紙Ｐは通常はリブ４０１ａ上を搬送され、リブ４０１ａ間で下凸になった時はリブ４０１ｂで高さ方向を規定する。排紙ピンチローラ３０２と付勢ローラ５０１（(ａ)〜（ｉ））は拍車である。付勢ローラ５０１は記録装置が対応する最大サイズの記録紙の左右端部を押さえる位置（５０１（ａ）と５０１（ｉ））と紙幅方向に複数配置された排紙ピンチローラ３０２間の中心線上であり、かつプラテン４０１のリブ４０１ａ間（５０１（ｂ）〜５０１（ｈ））に配置される。
【００２８】
図４は排紙ピンチローラおよび付勢ローラ取り付け部の概略図である。付勢ローラ５０１（ａ）は付勢ローラホルダ５０２に、付勢ローラ５０１（ｂ）〜５０１（ｉ）は排紙ピンチローラ３０２を取り付ける排紙ピンチローラホルダ３０３にコイルバネである付勢ローラバネ５０３を介して取り付けられる。図５は付勢ローラホルダ５０２部の概略図である。付勢ローラ５０１（ａ）および付勢ローラバネ５０３を取り付ける付勢ローラホルダ５０２は、回転軸５０２ａとカム当接部５０２ｂを備え、排紙ピンチローラホルダ３０３に回転軸５０２ａを中心に回動可能に取り付けられる。また、プラテン４０１の記録領域の外側に、付勢ローラホルダ５０２を動作させる付勢ローラホルダ駆動カム３０４が取り付けられる。
【００２９】
次に動作について説明する。給紙部１００から給紙された記録紙Ｐは先端Ｐａが搬送ローラ２０１とピンチローラ２０２との狭持部に誘い込まれ、狭持部に沿って先端Ｐａを整列させた後、搬送ローラ２０１とピンチローラ２０２によって、プラテン４０１のリブ４０１ａ上を印字開始位置まで搬送される。印字開始位置まで搬送された後、印字開始前にキャリッジ６０１が１往復して搭載している紙幅検知センサ（不図示）で搬送されてきた記録紙Ｐの左右端を検知し記録紙の紙幅を判別する。ここで、紙幅の検知は給紙部１００に記録紙Ｐの長さを検出する紙長検知センサを有し、紙の長さから記録紙の種類を判別してその記録紙の幅サイズを判定しても良い。
【００３０】
搬送されてきた記録紙Ｐの紙幅の判別により、付勢ローラ５０１（(ａ)〜（ｉ））がバランス良く載らない記録紙、例えば名刺が搬送されてきた場合は駆動源（不図示）を駆動し、付勢ローラホルダ駆動カム３０４を回転させ、付勢ローラ５０１（ａ）を保持する付勢ローラホルダ５０２を、付勢ローラ５０１（ａ）が記録紙Ｐの印字面と当接しない上方まで退避させる。付勢ローラ５０１（ａ）を記録紙Ｐの記録面から離間させることで、名刺サイズを搬送する際には紙幅方向の中心近傍に付勢ローラ５０１（ｂ）だけが載ることとなり、搬送時の付勢ローラによる負荷バランスは良好になる。
【実施例２】
【００３１】
実施例１では１つの付勢ローラ５０１（ａ）を動作可能に構成したが、用紙後端のカールが発生しない記録紙や印刷パターン、例えば名刺など高濃度の印刷がない記録紙においては、すべての付勢ローラを上方に退避させても良い。
【００３２】
図６は本発明による第２実施例の付勢ローラ部の概略図である。
【００３３】
付勢ローラ５０１（(ａ)〜（ｉ））は排紙ピンチローラホルダ３０３にコイルバネである付勢ローラバネ５０３を介して取り付けられる。排紙ピンチローラホルダ３０３は排紙ピンチローラ３０２の中心軸と同軸である回転軸３０３ａを中心に回動するようにプラテン４０１に取り付けられる。また、排紙ピンチローラホルダ３０３は端部にカム当接部３０３ｂを備え、プラテン４０１の記録領域の外側に取り付けられた付勢ローラホルダ駆動カム３０４により動作させられる。
【００３４】
次に動作について説明する。給紙部（不図示）から給紙された記録紙は先端が搬送ローラ２０１とピンチローラ２０２との狭持部に誘い込まれ、狭持部に沿って先端を整列させた後、搬送ローラ２０１とピンチローラ２０２によって、プラテン４０１のリブ４０１ａ上を印字開始位置まで搬送される。記録紙が印字開始位置まで搬送された後、印字開始前にキャリッジ（不図示）が１往復して搭載している紙幅検知センサ（不図示）で記録紙の左右端を検知し記録紙の紙幅を判別する。ここで、紙幅の検知は給紙部（不図示）に記録紙の長さを検出する紙長検知センサを有し、紙の長さから記録紙の種類を判別してその記録紙の幅サイズを判別しても良い。
【００３５】
搬送されてきた記録紙の紙幅の判別により、付勢ローラ５０１（(ａ)〜（ｉ））がバランス良く載らない記録紙、例えば名刺が搬送されてきた場合は駆動源（不図示）を駆動し、付勢ローラホルダ駆動カム３０４を回転させ、排紙ピンチローラホルダ３０３を回転軸３０３ａを中心に回動させ、付勢ローラ５０１（(ａ)〜（ｉ））が記録紙の印字面と当接しない上方まで退避させる。付勢ローラを記録面から離間させることで、付勢ローラによる負荷のない搬送を行うことができる。
【実施例３】
【００３６】
実施例１では付勢ローラ５０１(ａ)を取り付けた付勢ローラホルダ５０２を排紙ピンチローラホルダ３０３内で記録紙の記録面に対し上下方向に可動に構成したが、本実施例では記録紙搬送方向に交差する方向に可動にし、記録紙Ｐに載る幅方向の位置を変えるものである。
【００３７】
図７は本発明による第３実施例の付勢ローラ部の概略図である。付勢ローラ５０１は付勢ローラホルダ５０２にコイルバネである付勢ローラバネ５０３を介して取り付けられる。付勢ローラ５０１および付勢ローラバネ５０３を取り付ける付勢ローラホルダ５０２は、ガイド溝５０２ｃ、ガイド部５０２ｄを備え、排紙ピンチローラ３０２を取り付ける排紙ピンチローラホルダ３０３のガイド軸３０３ｂ、ガイド溝３０３ｃに平行移動可能に取り付けられる。また、端部にはカム当接部５０２ｅを備える。ここで、付勢ローラホルダ５０２は圧縮バネ５０４により図中の矢印のＡ方向に付勢され、プラテン４０１の記録領域の外側には付勢ローラホルダ５０２を動作させる溝カムからなる付勢ローラホルダ駆動カム３０４に押し付けられている。付勢ローラホルダ駆動カム３０４が回転し、溝が深くなる位置に来ると圧縮バネ５０４のバネ力により付勢ローラホルダ５０２は図のＡ方向に移動する。
【００３８】
次に動作について説明する。給紙部（不図示）から給紙された記録紙は先端が搬送ローラ２０１とピンチローラ２０２との狭持部に誘い込まれ、狭持部に沿って先端を整列させた後、搬送ローラ２０１とピンチローラ２０２によって、プラテン４０１のリブ４０１ａ上を印字開始位置まで搬送される。記録紙が印字開始位置まで搬送された後、印字開始前にキャリッジ（不図示）が１往復して搭載している紙幅検知センサ（不図示）で記録紙の左右端を検知し記録紙の紙幅を判別する。ここで、紙幅の検知は給紙部（不図示）に記録紙の長さを検出する紙長検知センサを有し、紙の長さから記録紙の種類を判別してその記録紙の幅サイズを判別しても良い。
【００３９】
搬送されてきた記録紙の紙幅の判別により、付勢ローラ５０１（(ａ)〜（ｉ））がバランス良く載らない記録紙、例えば名刺が搬送されてきた場合は駆動源（不図示）を駆動し、付勢ローラホルダ駆動カム３０４を回転させ、付勢ローラ５０１(ａ)を保持する付勢ローラホルダ５０２を平行移動させ、付勢ローラ５０１（ａ）が記録紙の記録面から外れる位置まで退避させる。付勢ローラ５０１（ａ）を記録紙の記録面から退避させることで、名刺サイズを搬送する際には紙幅方向の中心近傍に付勢ローラ５０１（ｂ）だけが載ることとなり、搬送時の付勢ローラによる負荷バランスは良好になる。
【実施例４】
【００４０】
実施例１〜３では印字前に紙幅を判別するための検知手段を備えていたが、プリンタドライバで指定した記録紙の種類によって、印字開始前に駆動源（不図示）を駆動し、付勢ローラホルダ駆動カム３０４を回転させ付勢ローラを動作させても良い。
【実施例５】
【００４１】
実施例１〜３では印字前に紙幅を判別するための検知手段を備えていたが、印刷する記録紙によってユーザーが手動で付勢ローラの位置を変えることができるレバーを備えていても良い。
【図面の簡単な説明】
【００４２】
【図１】本発明による第１実施例の搬送部の概略図。
【図２】本発明による第１実施例の搬送部のローラ配置概略図。
【図３】本発明による第１実施例の搬送部の上面図。
【図４】本発明による第１実施例の排紙ピンチローラおよび付勢ローラの取り付け部の概略図。
【図５】本発明による第１実施例の付勢ローラホルダ部の概略図。
【図６】本発明による第２実施例の付勢ローラ部の概略図。
【図７】本発明による第３実施例の付勢ローラ部の概略図。
【図８】従来の付勢ローラの配置例の概略図。
【符号の説明】
【００４３】
Ｐ  記録紙
Ｐａ  記録紙先端
Ｈ  記録ヘッド
１００  給紙部
２０１  搬送ローラ
２０２  ピンチローラ
３０１  排紙ローラ
３０２  排紙ピンチローラ
３０３  排紙ピンチローラホルダ
３０３ａ  回転軸
３０３ｂ  ガイド軸
３０３ｃ  ガイド溝
３０４  付勢ローラホルダ駆動カム
４０１  プラテン
４０１ａ  リブ
４０１ｂ  リブ
５０１（a）〜（h）  付勢ローラ、押さえ部材
５０２  付勢ローラホルダ
５０２ａ  回転軸
５０２ｂ  カム当接部
５０２ｃ  ガイド溝
５０２ｄ  ガイド部
５０２ｅ  カム当接部
５０３  付勢ローラバネ
５０４  圧縮バネ
６０１  キャリッジ
【図１】
2007118301.tif 000003
【図２】
2007118301.tif 000004
【図３】
2007118301.tif 000005
【図４】
2007118301.tif 000006
【図５】
2007118301.tif 000007
【図６】
2007118301.tif 000008
【図７】
2007118301.tif 000009
【図８】
2007118301.tif 000010